(57)【要約】  本発明は、照明システム内に置かれた、少なくとも一つの照射光の電気的なソースをもち、ランプの一部が照明システムの開口部の中へ突き出ていて、ランプの固定システムへ取り外し可能に接続されている、ランプを固定するための固定システムに関する。少なくとも3個の突起が、この場合電気的接触及び基準点の役割を担い、そして、端位置において、突起及び突起-レセプタクルシステムの突起の嵌合エリアが、軸方向の印加力によって、ポジティブな相互係合された嵌合が生じ得るように、当該突起及び突起-レセプタクルシステムの接触エリアが構成されている。
2010501967.tif 000002
【特許請求の範囲】
【請求項１】
照明システム内に置かれた、少なくとも一つの照射光の電気的なソースをもちランプの一部が前記照明システムの開口部の中へ突き出ていて、前記ランプの一部は、少なくとも3個の突起と3個の対応する突起-レセプタクルとを有する突起及び突起-レセプタクルシステムによって取り外し可能なように接続されている、ランプを固定するための固定システムにおいて、前記3個の突起は、電気的接触及び基準点の役割を担い、前記突起及び突起-レセプタクルシステムの接触エリアは、端位置において、当該システムの嵌合エリアが、軸方向に印加された力によりポジティブな相互係合での嵌合を生じる、固定システム。
【請求項２】
前記軸方向に印加された力が、密封リングからの自己復元力であることを特徴とする、請求項1に記載の固定システム。
【請求項３】
前記軸方向に印加された力が、弾性のあるクランプリングからの自己復元力であることを特徴とする、請求項1に記載の固定システム。
【請求項４】
少なくとも一つの照射光の電気的なソースが内蔵され、少なくとも二つの電流供給手段が突き出しているランプの外囲器と、
少なくとも1個の密封リング、及びランプの口金部にて前記ランプの外囲器が固定されている1個の口金部品をもつランプの口金と、
突起及び突起-レセプタクルシステムに属している固定要素とを少なくとも有する照明システム用のランプにおいて、
前記ランプの前記突起及び突起-レセプタクルシステムの前記固定要素が、軸方向に印加された力によって、前記ランプ上には構成されていない前記突起及び突起-レセプタクルシステムの他の固定要素の嵌め合いエリアと、ポジティブな相互係合での嵌め合いができる嵌め合いエリアをもつ少なくとも3個の突起を有し、
これらの突起の少なくとも3個が、電気的接触及び基準点の役割を担っている、照明システム用のランプ。
【請求項５】
前記ポジティブな相互係合のための前記軸方向に印加された力が、密封リングからの自己復元力であることを特徴とする、請求項4に記載のランプ。
【請求項６】
前記ポジティブな相互係合のための前記軸方向に印加された力が、弾性のあるクランプリングからの自己復元力であることを特徴とする、請求項4に記載のランプ。
【請求項７】
前記突起及び突起-レセプタクルシステムが3個の突起及び3個の対応する突起-レセプタクルをもつことを特徴とする、請求項4に記載のランプ。
【発明の詳細な説明】
【技術分野】
【０００１】
本発明は、照明システム内に置かれた、少なくとも一つの照射光の電気的ソースをもち、ランプの一部が照明システムの開口部の中へ突き出ていて、ランプの固定システムへ取り外し可能なように接続されている、ランプを固定するための固定システムに関する。
【背景技術】
【０００２】
この種の固定システムは、例えば自動車照明装置に属している照明システムで用いられ、特に特定のランプのタイプ用に、バヨネット接続と称されるものが広く使われている。
【０００３】
この種の固定システムは、特に自動車照明装置用に、国際特許公開公報  WO 2004/044488 A1から公知である。この固定システムが、バヨネット接続によって、ランプの一部が反射ハウジングの開口部の中へ突き出ている、反射ハウジング内に置かれたランプを固定するために用いられる。ランプの当該部分は、当該ランプの縦軸に対して半径方向の所定の位置に固定するために、前記開口部の内壁の表面に対して押圧する第１のバネ部材をもつバネシステムをもっている。このバネ部材は、前記開口部の内壁の表面に構成されている更なる電気接触に対応する、電気的な接触部品としても働く。
【０００４】
当該ランプは、開口部の後壁面に防水シールを付与することを意図するゴム密封リングも有する。
【発明の概要】
【発明が解決しようとする課題】
【０００５】
この固定システムは十分に安全ではなく、すべてのアプリケーションに対して信頼性が高い設計であるというわけではない。
【０００６】
半径方向の力がバネ部材自身により印加され、バネが通常の疲労を被るか、又は車の運転の間、例えば長時間使用され、一定の振動または揺れを被って折れたりすると、コンスタントな印加圧力の保証は無いことを意味する。従って、安全で信頼性が高い、形成された電気的接触の保証は無く、これゆえ、交通の適切な安全性は存在しないか又は限られた程度だけ存在する。また、いかなる所与のケースの中にも存在する、最大のバネ印加力及び最大の接触エリア（面積）は、システムが作動する態様により限定される。説明されている解決策は、接続が力によって基本的に成されているものであり、そして、設定された位置を維持することに関する限り、例えば密封リングでのずれに起因して、接続は、バネ自体により印加される力に直角に印加された力に対しては、限られた程度のみに安定である。しかしながら電気的接触は、このように所望の安定な端位置からかけ離れていてさえ可能である。
【０００７】
この種の力の印加が、V字型の基準システム又は位置決めシステムに対する悪影響をもつので、力の半径方向への印加は、一般に、この目的のためにV字型の基準システム又は位置決めシステムをもつ、この種のランプが有する課題である。
【０００８】
固定システム用の、より信頼性があって容易に動作する解決策を供すること、及び斯様な固定システムをもっているランプを供することが、本発明の目的である。特に、V字型の基準システムは、この場合影響されるべきではなく、より広い接触エリアをもつことが可能にされるべきである。また、自動車照明装置の照明システムでの使用に対して、交通の安全性が増大されるべきである。ランプは、産業的な大量生産の点において、効果的かつ効率的に生産されることが可能であるべきである。
【課題を解決するための手段】
【０００９】
本発明のこの目的は、請求項１の特徴を有する固定システムにより達成される。
【００１０】
この場合の本発明の要点は、照明システム内に置かれた、少なくとも一つの照射光の電気的なソースをもつ、ランプを固定するための固定システムにおいて、ランプの一部が照明システムの開口部に突き出しており、当該ランプの前記一部は、少なくとも3個の突起と、3個の対応する突起-レセプタクルとを有する突起及び突起-レセプタクルシステムにて、取り外し可能に接続されており、当該突起は電気的接点及び基準点の役割を担い、突起及び突起-レセプタクルシステムの接触エリアが、端位置において、両者の嵌合エリアが、軸方向の印加力によって、ポジティブな相互係合の嵌合を生じるよう構成されている。
【００１１】
実現された取り外し可能な接続は、第1に、ポジティブに相互係合された接続であり、また、第２に、軸方向のバネの復元力の結果としての力によって成された接続である。この組合せは、大きな接触エリア、即ち、非常に良好な電気的接触及び加圧に関する改善された特性を可能にする。ポジティブな相互係合が、端位置において存在するときのみ、電気的接触の形成が可能であり、この端位置に達する前に成される電気的接触の可能性、即ち、例えば車両の振動又は揺れの結果として変化する接触の不安定な状態で成される電気的接触の可能性は確実に除外される。ポジティブな相互係合は、いかなる方向にも、端位置のスリップを不可能にするか又は少なくとも非常により困難にし、軸方向に印加された力も、これをより困難にする。
【００１２】
力の軸方向への印加は、接触がバネにより印加された力のおかげで形成される場合よりも十分により大きな、密封リングの全印加エリアを介して生じるか、又は、弾性のあるクランプリング上の複数の加圧エリアを介して生じるかの何れかである。
【００１３】
この軸方向の力の正確な大きさ又は一定性に対して設定される要件は、あまり厳しくなく、従って、非常に高い効率が技術的に比較的単純である手段によって、達成されることができる。
【００１４】
産業的な大量生産との関連で、この解決策は安価に行うことができ、製品のもつ特定の標準と適合されることができる。
【００１５】
本発明による解決策が特に適切である自動車照明装置用のランプのタイプとして言及されるものは、例えば、所謂HB5、H9及びH13ランプである。
【００１６】
絶対に限定的な態様で規定しないにもかかわらず、従属する請求項２及び３は、本発明による固定システムの好都合な実施例を規定する。
【００１７】
軸方向に印加された力が、密封リングからの自己復元力であることが好ましい。この解決策は防水エンクロージャを必要とするアプリケーションに特に適している。
【００１８】
代替案として、軸方向に印加された力が、弾性のあるクランプリングからの自己復元力であることが好ましい。これは、密封された構造が必要とされないアプリケーションに、適切な解決策を与える。
【００１９】
本発明の目的は、請求項４で与えられる特徴をもつ、照明システムのランプによっても達成される。
【００２０】
この場合、本発明にとって重要なことは、ランプ上に構成されていないバヨネット接続の他の固定要素の嵌合領域とポジティブな相互係合で嵌め合うために、軸方向に印加された力によって、ランプのバヨネット接続の固定要素が、嵌合エリアが適用されることができる少なくとも3個の突起をもつことであり、また、当該少なくとも3個の突起が、電気的接触及び基準点の役割を担うことである。
【００２１】
従属する請求項５及び６は、絶対に限定的な態様にて規定することはないものの、本発明による固定システムの好都合な実施例を規定している。
【００２２】
ポジティブに相互係合された嵌合のために、軸方向に印加された力が密封リングからの自己復元力であることが好ましい。
【００２３】
本発明のこれらの態様及び他の態様は、これ以降説明される実施例によって、明らかであり、同実施例を参照して説明されよう。
【図面の簡単な説明】
【００２４】
【図１】自動車ヘッドランプ用の、本発明によるランプの側面からの概観図を示す。
【図２】所定の場所にランプを固定するための本発明による固定システムの一部（突起及び突起-レセプタクルシステムの突起レセプタクル）の概観図を示す。
【図３】弾性のあるクランプリングの側面からの概観図を示す。
【発明を実施するための形態】
【００２５】
図１に示される本発明の好ましい実施例は、自動車ヘッドランプ用に意図された対のフィラメントのハロゲン白熱灯である。
【００２６】
ランプは、通常の態様でランプの長手軸とほぼ平行して配置される二つの白熱コイル2、3を持っている実質的に円筒状の、ガラスのランプ外囲器１をもつ。口金に隣接しているランプ外囲器１の端から突き出している三つの電流供給手段（図１では示されない）は、二つの白熱コイル2、3を支持するため、及びそれらに電流を供給するために用いられる。口金に隣接しているランプ外囲器1の端部は、通常の固定結合によって、ランプの口金の一部である金属マウント5の開口部に固定されている。当該金属マウント5は、基準リング７に溶接される金属調整リング6に固定されている。基準リング７は、ランプの長手軸に実質的に直交し、単一の平面内にある、放射状に外側へ延在する、3個の基準突起（図１に示されていない）をもつ。当該基準突起は、120度の間隔で基準リング7の円周周辺に配置される。金属の口金の部品5、6及び７が一緒に溶接されるとき、通常の調節プロセスにて二つの白熱コイル2、3は、前記3個の基準突起及びこれら突起により規定された基準面に対して正確に位置合わせされ、従って、ランプがヘッドランプに結合されるとき、ヘッドランプの反射器の白熱コイル2、3の位置が、反射器内での3個の基準突起の向きと組み込み位置とによって、明確に固定されることもできる。
【００２７】
基準リング7は、口金の金属フランジ8の一番上のほぼ円筒状の部分に固定される。当該口金のフランジ8のこの一番上の部分は、口金のフランジ8の中心部に合体し、この後者の部分は、回転対称なランプ長手軸に直交する面をもち、口金から離れているランプ外囲器１の端を向いている。この面に挿入され、そこから一様にほぼ突き出していて、環状に丸く延在している溝内の位置に固定されているのが弾性密封リング4である。
【００２８】
ランプの長手軸と平行な力が当該密封リングに印加されると、密封リング4は、口金のフランジ8の中心部分を囲む、回転対称形をしている面より依然として上に突き出すことができるように設計される。とりわけ、これは、安全で信頼性が高い封止が、対応する軸方向の自己復元力の結果として、端位置において得られることを保証する。
【００２９】
口金のフランジ8の中心部から続くのは、例えば、P26.4tのランプの口金に対するIEC規則によって標準化されているように、通常の態様で構築される口金のフランジ8の底部である。
【００３０】
口金のフランジ8の上部は、長手軸に実質的に直交し、外側へ放射状に延在する3個の突起9a、9b、9cをもつ。突起9a、9b及び9cは、120度の間隔で口金のフランジ8の上部の円周に沿って配置されている。突起9aは、ヘッドランプのランプの方向、即ち、ヘッドランプ内での組み込み位置を規定するために、他の二つの突起9b及び9cよりも幅広に形成されている。3個の突起9a、9b及び9cは、基準点及び通常の態様で製造される三つの電源供給手段との電気的接触の役割を担う。
【００３１】
突起9a、9b及び9cの接触エリアは、前記システムがもっている合計6箇所の嵌合エリアが、端位置において、軸方向に印加された力によって、ポジティブな相互係合で実質的に嵌合を生じるよう構成され、お互いに、というよりむしろ、突起と突起−レセプタクルシステムとが属している3箇所の突起−レセプタクルの接触エリアに対応している。
【００３２】
実施例では、突起9a、9b及び9cは、各々、口金のフランジ8の底部へ向かって収束するほぼ半円形の輪郭形状である。（図2に示される）突起-レセプタクルは、これに対応する輪郭形状であり、従って、少なくとも接触エリアの一部が、端位置においてポジティブな相互係合でお互いに嵌め合うことができる。ポジティブな相互係合は、端位置において、弾性密封リングからの自己復元力に対応する軸方向の反力により達成される。
【００３３】
照明システム、例えば自動車照明装置の照明システムの、少なくとも一つの照射光源をもつランプを、例えばランプの反射ハウジングなどの、この照明システムの別の部分へ接続するために、当該ランプは照明システムの開口部に向けて、長手軸方向に挿入され、円周方向に回転されることにより、前記開口部の所定の場所に固定される。ランプの突起9a、9b及び9cとランプの口金用のレセプタクルの対応する突起-レセプタクルとは、このようにバヨネット接続を形成する。
【００３４】
図2に示されているのは、所定の位置にランプを固定するための本発明による固定システムの一部(突起及び突起-レセプタクルシステムの突起レセプタクル)の概観図である。
【００３５】
端位置において、システムがもつ合計6箇所の嵌め合いエリアが、軸方向に印加された力によって、ポジティブな相互係合でしっかりと嵌め合いが生じるよう、例えば反射ハウジングなどの照明システムの開口部11において、突起-レセプタクル10a、10b及び10cの接触エリアが構成されており、また、突起-レセプタクル10a、10b及び10cの接触エリアは、突起及び突起-レセプタクルシステムの3個の突起9a、9b、9c、（図2には示されず）の接触エリアに対応している。
【００３６】
実施例では、突起9a、9b及び9cは、各々、口金のフランジ8の底部へ向かって収束するほぼ半円形の輪郭形状である。突起-レセプタクル10a, 10b及び10cは、これに対応する輪郭形状であり、従って、少なくとも接触エリアの一部が、端位置において、ポジティブな相互係合でお互いに嵌め合うことができる。ポジティブな相互係合接続の形成を改善するために、3個の突起-レセプタクル10a, 10b 及び 10cは、傾斜状の形の補助要素12をもっている。
【００３７】
図3は、弾性のあるクランプリング13の側面からの概観図である。弾性クランプリング13は、ディスク形状の本体、及び弾性クランプリング13の平面から等しい量だけ突き出した、各々が押し面をもつ3個の弾性フィンガ14を持つ。弾性クランプリング13は、例えばバネ鋼などの標準的な弾性をもっている、弾性材料でできている。弾性クランプリング13は密封リングに代わるものとして口金のフランジ8の中心部に配置されることができ、したがって、弾性フィンガ14からの軸方向の自己復元力により、固定部材の嵌合エリアが、押し面を介してポジティブな相互係合でお互いを嵌め合うことができる。
【図１】
2010501967.tif 000003
【図２】
2010501967.tif 000004
【図３】
2010501967.tif 000005
【国際調査報告】
2010501967.tif 000006
2010501967.tif 000007
2010501967.tif 000008